(57)【要約】【課題】  複数枚を１セットとしたラベルを、蓄積された番組情報に基づき作成するラベル作成装置、ラベル作成プログラム及び記録媒体を提供する。【解決手段】  ラベル作成対象として選択されている番組について、ＥＰＧ情報ＤＢから取得したＥＰＧ情報の内容とともに使用できるテンプレートの一覧を配置処理画面２００に表示する。ＥＰＧ情報は左画面２１０に、テンプレート一覧は、右画面２２０に表示し、適用したいテンプレートを右画面２２０から１つ選択し、そのテンプレートに従ってラベルを作成したいＥＰＧ情報を１又は複数個左画面２１０から選択する。各テンプレート２３０，２４０，２５０，２６０は、複数枚のラベルから構成されるラベルセットになっており、指定された項目の情報を取り込んでラベルを作成することができる。【選択図】  図９
2007026527.tif 000002
【特許請求の範囲】
【請求項１】
放送番組に関する情報である番組情報を受信する受信手段と、
当該受信手段により受信した番組情報を記憶する番組情報記憶手段と、
前記番組情報記憶手段に記憶された番組情報に対応する放送番組の中から、ラベルを作成する放送番組を指定する番組指定手段と、
当該番組指定手段により指定された放送番組についての番組情報を、前記番組情報記憶手段から取得する番組情報取得手段と、
前記ラベルの複数枚を一組のラベルセットに指定するラベルセット指定手段と、
前記番組情報取得手段により取得された番組情報を、当該ラベルセット指定手段により指定されたラベルセットを構成する各ラベルに割り当て、当該ラベルの印刷領域内に配置してラベルを作成するラベル作成手段とを備えたことを特徴とするラベル作成装置。
【請求項２】
前記ラベルは、長尺状のテープに印刷するために作成され、
前記ラベル作成手段により作成された複数のラベルが、異なる幅のテープを用いる場合には、同一のテープ幅のラベルをまとめて印刷するよう制御する印刷制御手段を備えたことを特徴とする請求項１に記載のラベル作成装置。
【請求項３】
前記番組情報は、少なくとも前記放送番組のタイトルを含む複数の項目からなる情報であり、
前記ラベル作成手段は、前記番組情報の少なくとも一部の項目の情報を前記各ラベルの印刷領域内に配置してラベルを作成することを特徴とする請求項１又は２に記載のラベル作成装置。
【請求項４】
前記放送番組を録画する録画手段と、
当該録画手段により録画された放送番組の録画情報と前記番組情報記憶手段に記憶された当該放送番組の番組情報とを関連付ける関連付手段と、
前記番組情報記憶手段に記憶されている番組情報のうち、前記録画情報と関連付けられている番組情報を検索する検索手段と、
前記番組指定手段は、前記検索手段により前記録画情報と関連付けられている番組情報が発見された場合には、当該関連付けられた番組情報に対応する放送番組の中からラベルを作成する放送番組を指定することを特徴とする請求項１乃至３のいずれかに記載のラベル作成装置。
【請求項５】
前記番組情報取得手段により取得された番組情報に含まれる放送番組の放送時間から前記録画手段により録画された当該放送番組の録画時間を算出する録画時間算出手段と、
当該録画時間算出手段により算出された録画時間の合計が、予め指定された一組のラベルセット内の放送番組の録画時間の合計の上限である上限時間を上回るか否かを判断する判断手段とを備え、
前記ラベル作成手段は、前記判断手段により録画時間の合計が上限時間を上回ると判断された場合には、上限時間を超えた部分の放送番組については、当該ラベルセットを構成するラベルに番組情報を割り当てないことを特徴とする請求項４に記載のラベル作成装置。
【請求項６】
前記番組情報をラベルの印刷領域内に配置するための配置情報や、配置される番組情報の修飾情報を含む印刷の雛型であるテンプレートを記憶したテンプレート記憶手段と、
前記テンプレート記憶手段に記憶された複数のテンプレートから使用するテンプレートを選択するテンプレート選択手段とを備え、
前記テンプレート記憶手段は、前記ラベルセット用のテンプレートを含み、
前記ラベルセット指定手段は、前記テンプレート選択手段により前記ラベルセット用のテンプレートが選択された場合には、当該ラベルセット用テンプレートに含まれる複数枚のラベルをラベルセットに指定することを特徴とする請求項１乃至５のいずれかに記載のラベル作成装置。
【請求項７】
前記ラベル作成手段により作成されたラベルを編集する編集手段と、
当該編集手段により編集されたラベルの配置情報や修飾情報を含む印刷の雛型をテンプレートとしてテンプレート記憶手段に登録するテンプレート登録手段とを備えたことを特徴とする請求項６に記載のラベル作成装置。
【請求項８】
請求項１乃至７のいずれかに記載のラベル作成装置の各種処理手段としてコンピュータを機能させるためのラベル作成プログラム。
【請求項９】
請求項８に記載のラベル作成プログラムを記録したコンピュータ読取可能な記録媒体。
【発明の詳細な説明】
【技術分野】
【０００１】
本発明は、ラベル作成装置、ラベル作成プログラム及びラベル作成プログラムを記録したコンピュータ読取可能な記録媒体に関するものである。
【背景技術】
【０００２】
近年、ハードディスクレコーダやＤＶＤレコーダが普及し、放送番組を録画して視聴を楽しむことがさらに簡単に行なわれるようになっている。録画の際には、ＥＰＧ（Electronic Program Guide：電子番組表）を利用して録画したい番組の情報を取得し、予約を行なうこともできる。このようなＥＰＧは、放送番組と同様の地上波で送信されると共に、インターネットでも提供されている。最近では、テレビチューナー付きのパソコンも普及してきており、インターネットに接続しつつテレビ受信して録画することも広く行なわれている。
【０００３】
ところで、このように録画が非常に簡単に行えるようになると、録画情報が膨大になり、どの記録媒体になにを録画したかが整理されていないと、録画したものの後から見たい番組にたどり着くことが難しくなって、利便性を享受できなくなるという問題がある。そこで、録画予約や再生等のイベント発生時にラベルを印刷し、録画媒体に貼付したりするためのラベル作成（生成）装置が提案されている（例えば、特許文献１参照。）
【特許文献１】特開２００３−１３４４４７号公報
【発明の開示】
【発明が解決しようとする課題】
【０００４】
上記従来のラベル生成装置では、ＶＨＳテープ、８ミリテープといった記録媒体にあわせたラベルのテンプレートを用意し、ＥＰＧ等の番組表から取得した番組情報をこのテンプレートに流し込んでラベルを作成する。そして、指定されたタイミング（録画予約時、録画終了時、再生時等）で作成したラベルの印刷を行なう。
【０００５】
しかしながら、録画終了後に番組情報を参照してまとめてラベルを作成したいという場合には対応していなかった。特に、タイトル、サブタイトル、日付等の項目を複数のラベルに適宜配置して１セットのラベルを作成したいような場合には、一度にうまく作成することができなかった。
【０００６】
本発明は上記問題を解決するためになされたものであり、複数枚を１セットとしたラベルを、蓄積された番組情報に基づき作成するラベル作成装置、ラベル作成プログラム及び記録媒体を提供することを目的とする。
【課題を解決するための手段】
【０００７】
上記目的を達成するために、本発明の請求項１に記載のラベル作成装置は、放送番組に関する情報である番組情報を受信する受信手段と、当該受信手段により受信した番組情報を記憶する番組情報記憶手段と、前記番組情報記憶手段に記憶された番組情報に対応する放送番組の中から、ラベルを作成する放送番組を指定する番組指定手段と、当該番組指定手段により指定された放送番組についての番組情報を、前記番組情報記憶手段から取得する番組情報取得手段と、前記ラベルの複数枚を一組のラベルセットに指定するラベルセット指定手段と、前記番組情報取得手段により取得された番組情報を、当該ラベルセット指定手段により指定されたラベルセットを構成する各ラベルに割り当て、当該ラベルの印刷領域内に配置してラベルを作成するラベル作成手段とを備えたことを特徴とする。
【０００８】
また、本発明の請求項２に記載のラベル作成装置は、請求項１に記載の発明の構成に加え、前記ラベルが、長尺状のテープに印刷するために作成され、前記ラベル作成手段により作成された複数のラベルが、異なる幅のテープを用いる場合には、同一のテープ幅のラベルをまとめて印刷するよう制御する印刷制御手段を備えたことを特徴とする。
【０００９】
また、本発明の請求項３に記載のラベル作成装置は、請求項１又は２に記載の発明の構成に加え、前記番組情報が、少なくとも前記放送番組のタイトルを含む複数の項目からなる情報であり、前記ラベル作成手段は、前記番組情報の少なくとも一部の項目の情報を前記各ラベルの印刷領域内に配置してラベルを作成することを特徴とする。
【００１０】
また、本発明の請求項４に記載のラベル作成装置は、請求項１乃至３のいずれかに記載の発明の構成に加え、前記放送番組を録画する録画手段と、当該録画手段により録画された放送番組の録画情報と前記番組情報記憶手段に記憶された当該放送番組の番組情報とを関連付ける関連付手段と、前記番組情報記憶手段に記憶されている番組情報のうち、前記録画情報と関連付けられている番組情報を検索する検索手段と、前記番組指定手段は、前記検索手段により前記録画情報と関連付けられている番組情報が発見された場合には、当該関連付けられた番組情報に対応する放送番組の中からラベルを作成する放送番組を指定することを特徴とする。
【００１１】
また、本発明の請求項５に記載のラベル作成装置は、請求項４に記載の発明の構成に加え、前記番組情報取得手段により取得された番組情報に含まれる放送番組の放送時間から前記録画手段により録画された当該放送番組の録画時間を算出する録画時間算出手段と、当該録画時間算出手段により算出された録画時間の合計が、予め指定された一組のラベルセット内の放送番組の録画時間の合計の上限である上限時間を上回るか否かを判断する判断手段とを備え、前記ラベル作成手段は、前記判断手段により録画時間の合計が上限時間を上回ると判断された場合には、上限時間を超えた部分の放送番組については、当該ラベルセットを構成するラベルに番組情報を割り当てないことを特徴とする。
【００１２】
また、本発明の請求項６に記載のラベル作成装置は、請求項１乃至５のいずれかに記載の発明の構成に加え、前記番組情報をラベルの印刷領域内に配置するための配置情報や、配置される番組情報の修飾情報を含む印刷の雛型であるテンプレートを記憶したテンプレート記憶手段と、前記テンプレート記憶手段に記憶された複数のテンプレートから使用するテンプレートを選択するテンプレート選択手段とを備え、前記テンプレート記憶手段は、前記ラベルセット用のテンプレートを含み、前記ラベルセット指定手段は、前記テンプレート選択手段により前記ラベルセット用のテンプレートが選択された場合には、当該ラベルセット用テンプレートに含まれる複数枚のラベルをラベルセットに指定することを特徴とする。
【００１３】
また、本発明の請求項７に記載のラベル作成装置は、請求項６に記載の発明の構成に加え、前記ラベル作成手段により作成されたラベルを編集する編集手段と、当該編集手段により編集されたラベルの配置情報や修飾情報を含む印刷の雛型をテンプレートとしてテンプレート記憶手段に登録するテンプレート登録手段とを備えたことを特徴とする。
【００１４】
また、本発明の請求項８に記載のラベル作成プログラムは、請求項１乃至７のいずれかに記載の発明の各種処理手段としてコンピュータを機能させる。
【００１５】
また、本発明の請求項９に記載の記録媒体は、請求項８に記載の発明のラベル作成プログラムを記録している。
【発明の効果】
【００１６】
本発明の請求項１に記載のラベル作成装置は、受信手段が受信した番組情報、例えば、ＥＰＧデータ等を番組情報記憶手段に記憶し、記憶されている番組情報の中からラベルを作成したい番組を番組指定手段により指定し、番組情報を用いてラベルを作成する。ここで、複数枚のラベルを１セットとして指定しておき、そのラベルセットに対して１つの放送番組の番組情報を適宜配置してラベルを作成する。従って、印刷したいデータ量が多い場合や、項目毎に別のラベルに配置したい場合など、１つの番組に対して複数のラベルを使って印刷したい場合に、個々のラベルをそれぞれ作成するのでなく、１回の操作で所望の数のラベルを作成することができる。
【００１７】
また、本発明の請求項２に記載のラベル作成装置は、請求項１に記載の発明の効果に加え、長尺状のテープを用いてラベルを作成する場合に、テープ幅の異なる複数のラベルを用いるときには、同一のテープ幅のラベルをまとめて印刷するようにしたので、テープの交換回数を最小限に抑えてより早く印刷を完了することができる。
【００１８】
また、本発明の請求項３に記載のラベル作成装置は、請求項１又は２に記載の発明の効果に加え、番組情報が、少なくとも放送番組のタイトルを含む複数の項目からなっているので、例えば、タイトル、サブタイトル、出演者、放送日、放送時間等の番組情報から任意の情報を選択してラベルを作成することができる。
【００１９】
また、本発明の請求項４に記載のラベル作成装置は、請求項１乃至３のいずれかに記載の発明の効果に加え、ある放送番組が録画手段により録画された場合には、その録画情報と、記憶されている番組情報とを関連付けておく。そして、検索手段により関連付けられた番組情報が発見された場合には、その関連付けられた番組情報の中からラベルを作成する番組情報を指定する。録画情報と番組情報とが関連付けられて管理されるので、録画予約時や録画時、再生時等の録画情報の取り扱い時に限らず、任意の時にまとめてラベルを作成することも容易にできる。
【００２０】
また、本発明の請求項５に記載のラベル作成装置は、請求項４に記載の発明の効果に加え、放送番組の録画時間が算出されているので、例えば、ＤＶＤ用のラベルセットを作成する際等は、そのＤＶＤに録画可能な上限時間を超えて１つのラベルセット内に作成しないようにしたり、録画に必要なＤＶＤの数分のラベルセットを作成することができる。
【００２１】
また、本発明の請求項６に記載のラベル作成装置は、請求項１乃至５のいずれかに記載の発明の効果に加え、ラベルセット用の専用テンプレートを用意するので、さらに簡単に、複数枚からなるラベルを１セットとして、番組情報に基づいたラベルを作成できる。
【００２２】
また、本発明の請求項７に記載のラベル作成装置は、請求項６に記載の発明の効果に加え、テンプレートに従って一旦作成されたラベルを使用者が編集し、その結果をテンプレートとして登録しておくことができるので、好みの雛型を次回から用いることができ、手間を省いて好みにあったラベルを作成することができる。
【００２３】
また、本発明の請求項８に記載のラベル作成プログラムは、コンピュータに実行させることにより、請求項１乃至７のいずれかに記載の発明の各種処理手段としての作用効果を奏することができる。
【００２４】
また、本発明の請求項９に記載の記録媒体をコンピュータに読み取らせ、実行させることにより、請求項８に記載の発明の各種処理手段としての作用効果を奏することができる。
【発明を実施するための最良の形態】
【００２５】
以下、本発明の実施の形態を図面を参照して説明する。以下では、本発明に係るラベル作成装置１として、プリンタに接続したパーソナルコンピュータを例に挙げて説明する。このパーソナルコンピュータには本発明に係る「ラベル作成プログラム」が搭載されている。まず、図１を参照して、ラベル作成装置１について説明する。図１は、ラベル作成装置１の電気的構成を示すブロック図である。
【００２６】
図１に示すように、ラベル作成装置１は、いわゆるテレビパソコンと称されるテレビ放送受信用のチューナーを備えたパーソナルコンピュータに入出力のための周辺機器が接続されて構成されている。ラベル作成装置１には、パーソナルコンピュータの制御を司るＣＰＵ１０が設けられている。このＣＰＵ１０には、ＣＰＵ１０が実行するＢＩＯＳ等のプログラムを記憶したＲＯＭ１１と、データを一時的に記憶するＲＡＭ１２と、データの記憶装置であるハードディスク１３とが、バス１９を介して接続されている。
【００２７】
ハードディスク１３には、ラベル作成プログラムを始めとするラベル作成装置１で実行される各種のプログラムを記憶するプログラム記憶エリア１４、番組情報を蓄積するＥＰＧ情報データベース（ＤＢ）１５、個々の印刷対象情報を印刷領域上にどのような大きさ・フォントでどの位置に配置するか等の印刷の雛型としての情報を予め記憶したテンプレート（詳細後述）の集合体であるテンプレート記憶エリア１６、録画された放送番組データとＥＰＧ情報ＤＢ１５内の番組情報との関連付けを記憶する関連付け情報記憶エリア１７等が設けられている。尚、ＥＰＧ情報ＤＢ１５が本発明の番組情報記憶手段に、テンプレート記憶エリア１６が本発明のテンプレート記憶手段に相当する。
【００２８】
また、ＣＰＵ１０には、バス１９を介して、テレビ放送をアンテナ２０を経由して受信するためのチューナー２１が接続され、チューナー２１で受信した放送データは、アナログ変調部２２、映像音声出力部２３を経て、モニタ（画面）／スピーカ２４に映像出力及び音声出力される。このようにチューナー２１により受信した映像及び音声データは、ビデオレコーダコントローラ３１を介して接続されているビデオレコーダ３２により、ハードディスク（ＨＤＤ）やＤＶＤに録画することができる。ラベル作成装置１は、リモコン２６により遠隔操作することも可能に構成されており、このリモコン２６からの信号を受信するためのリモコン受信部２７もバス１９を介してＣＰＵ１０に接続されている。また、チューナー２１には、受信したデータを検出してＣＰＵ１０に出力するデータ検出部２５が接続されている。尚、ビデオレコーダ３２が、本発明の録画手段に相当する。
【００２９】
さらに、ＣＰＵ１０には、バス１９を介して、利用者が操作の入力を行うキーボード（Ｋ／Ｂ）４１に接続され、入力の制御を行なうキーボード（Ｋ／Ｂ）コントローラ４２、作成したラベルを印刷するプリンタ６２に接続され、その制御を行なうプリンタコントローラ６１、インターネット５０に接続するためのインターネットコントローラ５１が接続されている。尚、インターネットコントローラ５１が、本発明の受信手段に相当する。
【００３０】
ここで、本実施形態では、プリンタ６２として、長尺状のテープに印刷を行なうテーププリンタを用いている。プリンタ６２は、内部にテープカセットを着脱可能に装着し、複数の発熱素子を有するサーマルヘッドとそのサーマルヘッドに当接されるプラテンローラとの間にテープを走行させてそのテープ状に印刷する印刷機構が設けられている。装着されたテープカセットのテープは、印刷機構で印刷され、印刷機構に装備されたテープカッタにより切断されて排出口から排出される。プリンタ６２における印刷の際は、指定された種類とテープ幅に対応するテープカセットを使用者が装着する。プリンタ６２のテープカセット収納部には、装着されたテープカセットのテープ種類とテープ幅を検出するためのセンサからなる検出部が設けられ、各テープカセットの、検出部に対向する位置には、内蔵するテープの種類とテープ幅を示す識別孔が開けられ、検出部で検出可能になっている。
【００３１】
本実施形態においては、放送番組のタイトルや放送時間、チャンネル、出演者等の番組情報を提供しているＥＰＧデータをインターネット５０から取得し、加工してハードディスク１３内のＥＰＧ情報ＤＢ１５に蓄積している。ＥＰＧデータは、インターネット５０上に提供されているものに限らず、放送データと共にチューナー２１で受信して取り出すようにしてもよい。その場合には、チューナー２１が本発明の受信手段となる。
【００３２】
次に、以上の構成のラベル作成装置１で実行される処理について図２〜図７を参照して説明する。図２は、ラベル作成処理の全体の流れを示すフローチャートである。図３は、ラベル作成処理の中で実行される、録画予約処理のフローチャートである。図４は、媒体記録処理及び録画処理のフローチャートである。図５は、ラベル作成処理の中で実行される、録画済用ラベル作成処理のフローチャートである。図６は、ラベル作成処理の中で実行される、データ加工編集処理のフローチャートである。図７は、ラベル作成処理の中で実行される、印刷処理のフローチャートである。
【００３３】
図２に示すように、ラベル作成処理が開始されると、まず、録画を予約するか否かを判断する（Ｓ１）。録画を予約する場合には（Ｓ１：ＹＥＳ）、まず、インターネット５０からＥＰＧデータ（いわゆるｉＥＰＧデータ）を取得する（Ｓ２）。そして、取得したＥＰＧデータを画面表示する（Ｓ３）。ＥＰＧデータが表示されたら、録画予約を受け付けて予約した放送番組のＥＰＧデータをＥＰＧ情報ＤＢ１５に蓄積する録画予約処理を実行する（Ｓ４）。録画予約処理の詳細については図３を参照して後述する。
【００３４】
録画予約処理が終了したら、予約した番組についてすぐにラベルを作成して印刷するか否かを判断する（Ｓ５）。すぐにはラベルを作成しない場合には（Ｓ５：ＮＯ）、ラベル作成処理を終了する。すぐにラベルを作成して印刷する場合には（Ｓ５：ＹＥＳ）、録画予約処理でＥＰＧ情報ＤＢ１５に記憶した予約番組のＥＰＧ情報を取得し（Ｓ６）、Ｓ９に進む。
【００３５】
一方、録画予約でない場合は（Ｓ１：ＮＯ）、既に録画されているデータのためのラベルの作成か否かを判断する（Ｓ７）。録画済データのためのラベル作成でない場合は（Ｓ７：ＮＯ）、ラベル作成処理を終了する。録画済データのためのラベル作成を行なう場合は（Ｓ７：ＹＥＳ）、録画予約時にＥＰＧ情報ＤＢ１５に記憶され、蓄積されているＥＰＧ情報を用いて録画データ用のラベルを作成する録画済用ラベル作成処理を実行する（Ｓ８）。録画済用ラベル作成処理の詳細については図５を参照して後述する。
【００３６】
録画予約した番組のラベルをすぐに作成する場合で（Ｓ５：ＹＥＳ）、その予約番組のＥＰＧ情報を取得した後（Ｓ６）及び、録画済用のラベル作成で用いるＥＰＧ情報を取り出した後（Ｓ８）、ラベル作成対象となるデータの加工編集処理を実行してデータをラベルの印刷領域に配置し（Ｓ９）、その印刷データに基づいてプリンタで印刷を実行させる印刷処理を行って処理を終了する（Ｓ１０）。データ加工編集処理の詳細については図６を参照して、印刷処理の詳細については図７を参照して後述する。
【００３７】
次に、図３を参照して、録画予約処理について説明する。まず、表示されている番組情報を見た使用者のキーボード４１やマウス（図示外）からの入力を受け付ける（Ｓ２１）。そして、その入力内容がカーソルの移動やスクロールか否かを判断する（Ｓ２２）。カーソル移動やスクロールの場合には（Ｓ２２：ＹＥＳ）、対応する移動処理を行ない（Ｓ２３）、入力受付に戻る（Ｓ２１）。
【００３８】
カーソル移動やスクロールでない場合は（Ｓ２２：ＮＯ）、予約したい番組の選択が入力指示されたか否かを判断する（Ｓ２４）。番組選択の場合は（Ｓ２４：ＹＥＳ）、選択用の画面を表示し（Ｓ２５）、録画予約を受け付ける（Ｓ２６）。そして、予約された番組のＥＰＧ情報をＥＰＧ情報ＤＢ１５に追加して保存する（Ｓ２７）。ここで、録画予約した番組についてすぐにラベル作成を行なうこともできるので、そのために、予約した番組をラベル作成すべき対象の番組として一時的にＲＡＭ１２に記憶しておく（Ｓ２８）。そして、ビデオレコーダ３２に録画予約指令を送信し（Ｓ２９）、図２のラベル作成処理に戻る。
【００３９】
一方、番組選択でなかった場合には（Ｓ２４：ＮＯ）、キャンセル指示であるか否かを判断する（Ｓ３０）。キャンセル指示の場合には（Ｓ３０：ＹＥＳ）、キャンセル処理を実行し（Ｓ３１）、ラベル作成全体の処理を終了する。キャンセル指示でない場合には（Ｓ３０：ＮＯ）、録画予約に関するその他の処理を実行し（Ｓ３２）、Ｓ２１の入力受付に戻る。
【００４０】
ここで、ビデオレコーダ３２で実行される、録画予約指令に基づく録画処理、及び、使用者の入力指示によりハードディスクに録画された録画データをＤＶＤに記録する媒体記録処理について、図４を参照して説明する。まず、録画済データをＤＶＤに記録する指示が入力されたか否かを判断する（Ｓ２０１）。ＤＶＤへの記録でなければ（Ｓ２０１：ＮＯ）、そのままＳ２０４に進む。ＤＶＤへの記録であれば（Ｓ２０１：ＹＥＳ）、選択された録画済データを装着されたＤＶＤに記録する（Ｓ２０２）。そして、その録画済データに関連付けられているＥＰＧ情報をＥＰＧ情報ＤＢ１５から読み出してＤＶＤに記録する（Ｓ２０３）。このようにＤＶＤにＥＰＧ情報を記録しておけば、ＤＶＤ内の録画番組についてのラベル作成をする際に、対応するＥＰＧ情報の取得を高速に行なうことができる。
【００４１】
次に、録画予約指令を受信したか否かを判断する（Ｓ２０４）。新たな録画予約指令を受け取っていなければ（Ｓ２０４：ＮＯ）、そのままＳ２０６に進む。
【００４２】
録画予約指令を受信している場合には（Ｓ２０４：ＹＥＳ）、その予約内容を記憶する（Ｓ２０５）。そして、記憶されている予約指令で指定された日時が到来しているか否かを判断する（Ｓ２０６）。指定日時が到来していなければ（Ｓ２０６：ＮＯ）、Ｓ２０１に戻る。指定日時が到来している場合には（Ｓ２０６：ＹＥＳ）、該当の録画予約指令に従って録画を実行する（Ｓ２０７）。そして、ＥＰＧ情報ＤＢ１５内の対応するＥＰＧ情報と関連づけを行ない（Ｓ２０８）、Ｓ２０１に戻って以上の処理を繰り返す。ここで、録画データとＥＰＧ情報の関連づけは、相互を対応づけたテーブルを関連付け情報記憶エリア１７に記憶させることにより行なう。尚、録画データとＥＰＧ情報が相互に対応するようになっていればよく、ＥＰＧ情報ＤＢ１５内に直接録画データを示すフラグを記憶させるような構成でも構わない。
【００４３】
次に、図５を参照して、録画済用ラベル作成処理について説明する。まず、ＤＶＤに貼付するためのラベルの作成が指示されたか否かを判断する（Ｓ４１）。ＤＶＤ用ラベルの作成の場合には（Ｓ４１：ＹＥＳ）、ＤＶＤがＤＶＤドライブに挿入されているか否かを判断する（Ｓ４２）。挿入されていない場合には（Ｓ４２：ＮＯ）、ＤＶＤの挿入指示を画面に表示し（Ｓ４３）、Ｓ４２に戻って再びＤＶＤの挿入を検出する。
【００４４】
ＤＶＤの挿入が検出されたら（Ｓ４２：ＹＥＳ）、そのＤＶＤの中にＥＰＧ情報が記憶されているか否かを判断する（Ｓ４４）。ＤＶＤ内にＥＰＧ情報が記憶されていれば（Ｓ４４：ＹＥＳ）、録画情報と関連付けられているＥＰＧ情報をＤＶＤ内で検索する（Ｓ４５）。そして、検索の結果、関連付けられたＥＰＧ情報が発見されたか否かを判断する（Ｓ４６）。発見された場合には（Ｓ４６：ＹＥＳ）、Ｓ６２へ進んでそのＥＰＧ情報をラベル作成する番組として選択するか否かを判断する。
【００４５】
発見されなかった場合（Ｓ４６：ＮＯ）、又は、ＤＶＤ内にＥＰＧ情報が記憶されていなかった場合は（Ｓ４４：ＮＯ）、ＥＰＧ情報ＤＢ１５から録画情報と関連付けられているＥＰＧ情報を検索する（Ｓ４７）。そして、ＥＰＧ情報ＤＢ１５の検索の結果、関連付けられたＥＰＧ情報が発見されたか否かを判断する（Ｓ４８）。発見された場合には（Ｓ４８：ＹＥＳ）、そのＥＰＧ情報をラベル作成する番組として選択するか否かを判断する（Ｓ６２）。ここで、作成対象番組は、複数件を選択して入力することができる。
【００４６】
次に、作成対象番組が選択された場合には（Ｓ６２：ＹＥＳ）、各選択番組のＥＰＧ情報に含まれている録画時間を合計する（Ｓ６３）。そして、算出された録画時間合計が、予め設定された上限時間内に収まっているか否かを判断する（Ｓ６４）。ＤＶＤのような録画媒体ではに録画可能な時間は上限があるので、ラベルを作成する場合には、その上限時間内におさまるだけの番組を選択するようにしておくための判断である。このようにすることで、１組のラベルセット内に１枚のＤＶＤに入りきらないような番組数のラベルを作成してしまうことを避けることができる。
【００４７】
上限時間内に収まっている場合には（Ｓ６４：ＹＥＳ）、その番組を選択番組としてＲＡＭ１２に記憶し（Ｓ６５）、該当番組のＥＰＧ情報をＥＰＧ情報ＤＢ１５から取り出す（Ｓ６６）。そして、図２のラベル作成処理に戻る。上限時間内に収まっていない場合には（Ｓ６４：ＮＯ）、Ｓ６２に戻って選択をやり直す。
【００４８】
また、ＥＰＧ情報ＤＢ１５にＤＶＤ内の録画情報と関連付けられたＥＰＧ情報が発見されなかった場合には（Ｓ４８：ＮＯ）、ＥＰＧ情報ＤＢ１５内のＥＰＧ情報で録画情報と対応すると考えられるものを検索する（Ｓ５４）。例えば、タイトルや、放送時間、チャンネル等の項目情報を用いてマッチングすれば、対応するＥＰＧ情報が見つかる可能性が高い。マッチングの結果、対応するＥＰＧ情報の候補が見つかったかを判断し（Ｓ５５）、発見されなかった場合は（Ｓ５５：ＮＯ）、そのままＳ５７に進み、使用者に手動で入力させる。対応するＥＰＧ情報の候補が発見された場合には（Ｓ５５：ＹＥＳ）、その候補を一覧表示し（Ｓ５６）、使用者に録画情報と対応しているかどうかを入力させる（Ｓ５７）。ここで、作成対象番組は、複数件を選択して入力することができる。そして、そのＥＰＧ情報をラベル作成する番組として選択するか否かを判断する（Ｓ５８）。受け付けた入力により、候補からいずれかのＥＰＧ情報が選択された場合には（Ｓ５８：ＹＥＳ）、各選択番組のＥＰＧ情報に含まれている録画時間を合計する（Ｓ５９）。そして、算出された録画時間合計が、予め設定された上限時間内に収まっているか否かを判断する（Ｓ６０）。上限時間内に収まっている場合には（Ｓ６０：ＹＥＳ）、その番組を選択番組としてＲＡＭ１２に記憶し（Ｓ６５）、該当番組のＥＰＧ情報をＥＰＧ情報ＤＢ１５から取り出す（Ｓ６６）。そして、図２のラベル作成処理に戻る。上限時間内に収まっていない場合には（Ｓ６０：ＮＯ）、Ｓ５８に戻って選択をやり直す。
【００４９】
選択されなかった場合には（Ｓ５８：ＮＯ）、対応するＥＰＧ情報が候補の中にはないということなので、ＤＢの中から使用者が任意に検索をかけて対応するＥＰＧ情報を選択できるように一覧表示・検索画面を表示する（Ｓ６１）。そして、使用者からＥＰＧ情報が選択されるのを待ち、選択されたら（６２：ＹＥＳ）、各選択番組のＥＰＧ情報に含まれている録画時間を合計する（Ｓ６３）。そして、算出された録画時間合計が、予め設定された上限時間内に収まっているか否かを判断する（Ｓ６４）。上限時間内に収まっている場合には（Ｓ６４：ＹＥＳ）、その番組を選択番組としてＲＡＭ１２に記憶し（Ｓ６５）、該当番組のＥＰＧ情報をＥＰＧ情報ＤＢ１５から取り出す（Ｓ６６）。そして、図２のラベル作成処理に戻る。上限時間内に収まっていない場合には（Ｓ６４：ＮＯ）、Ｓ６２に戻って選択をやり直す。
【００５０】
また、選択されない場合には（Ｓ６２：ＮＯ）、キャンセル指示があったか否かを判断し（Ｓ６７）、キャンセルされた場合には（Ｓ６７：ＹＥＳ）、ラベル作成処理全体を終了する。キャンセル指示でない場合には（Ｓ６７：ＮＯ）、Ｓ６２に戻って選択されるのを待つ。
【００５１】
一方、ＤＶＤ用ラベルの作成でない場合には（Ｓ４１：ＮＯ）、ＥＰＧ情報ＤＢ１５にＥＰＧ情報が記憶されているか否かを判断する（Ｓ５１）。ＥＰＧ情報ＤＢ１５にＥＰＧ情報が記憶されていない場合には（Ｓ５１：ＮＯ）、ラベル作成はできないため、エラー処理をして（Ｓ６８）、処理全体を終了する。
【００５２】
ＥＰＧ情報ＤＢ１５にＥＰＧ情報が記憶されている場合には（Ｓ５１：ＹＥＳ）、ＥＰＧ情報ＤＢ１５から録画情報と関連付けられているＥＰＧ情報を検索する（Ｓ５２）。そして、ＥＰＧ情報ＤＢ１５の検索の結果、関連付けられたＥＰＧ情報が発見されたか否かを判断する（Ｓ５３）。発見された場合には（Ｓ５３：ＹＥＳ）、Ｓ５７へ進んで、使用者の入力を受け付け、その結果、そのＥＰＧ情報をラベル作成する番組として選択されたか否かを判断する（Ｓ５８）。ここで、番組は、複数件選択入力することができる。そして、受け付けた入力により、候補からいずれかのＥＰＧ情報が選択された場合には（Ｓ５８：ＹＥＳ）、各選択番組のＥＰＧ情報に含まれている録画時間を合計する（Ｓ５９）。そして、算出された録画時間合計が、予め設定された上限時間内に収まっているか否かを判断する（Ｓ６０）。上限時間内に収まっている場合には（Ｓ６０：ＹＥＳ）、その番組を選択番組としてＲＡＭ１２に記憶し（Ｓ６５）、該当番組のＥＰＧ情報をＥＰＧ情報ＤＢ１５から取り出す（Ｓ６６）。そして、図２のラベル作成処理に戻る。上限時間内に収まっていない場合には（Ｓ６０：ＮＯ）、Ｓ５８に戻って選択をやり直す。
【００５３】
このように上限時間内に収まるように番組を選択してラベルを作成しておけば、それにあわせてハードディスクからＤＶＤに録画し、ラベルをＤＶＤに貼付するという一連の作業が効率よく行える。
【００５４】
ＥＰＧ情報ＤＢ１５にＤＶＤ内の録画情報と関連付けられたＥＰＧ情報が発見されなかった場合には（Ｓ５３：ＮＯ）、ＥＰＧ情報ＤＢ１５内のＥＰＧ情報で録画情報と対応すると考えられるものを検索する（Ｓ５４）。例えば、タイトルや、放送時間、チャンネル等の項目情報を用いてマッチングすれば、対応するＥＰＧ情報が見つかる可能性が高い。マッチングの結果、対応するＥＰＧ情報の候補が見つかったかを判断し（Ｓ５５）、発見されなかった場合は（Ｓ５５：ＮＯ）、そのままＳ５７に進み、使用者に手動で入力させる。対応するＥＰＧ情報の候補が発見された場合には（Ｓ５５：ＹＥＳ）、その候補を一覧表示し（Ｓ５６）、使用者に録画情報と対応しているかどうかを入力させる（Ｓ５７）。受け付けた入力により、候補からいずれかのＥＰＧ情報が選択された場合には（Ｓ５８：ＹＥＳ）、各選択番組のＥＰＧ情報に含まれている録画時間を合計する（Ｓ５９）。そして、算出された録画時間合計が、予め設定された上限時間内に収まっているか否かを判断する（Ｓ６０）。上限時間内に収まっている場合には（Ｓ６０：ＹＥＳ）、その番組を選択番組としてＲＡＭ１２に記憶し（Ｓ６５）、該当番組のＥＰＧ情報をＥＰＧ情報ＤＢ１５から取り出す（Ｓ６６）。そして、図２のラベル作成処理に戻る。上限時間内に収まっていない場合には（Ｓ６０：ＮＯ）、Ｓ５８に戻って選択をやり直す。
【００５５】
選択されなかった場合には（Ｓ５８：ＮＯ）、対応するＥＰＧ情報が候補の中にはないということなので、ＤＢの中から使用者が任意に検索をかけて対応するＥＰＧ情報を選択できるように一覧表示・検索画面を表示する（Ｓ６１）。そして、使用者からＥＰＧ情報が選択されるのを待ち、選択されたら（Ｓ６２：ＹＥＳ）、各選択番組のＥＰＧ情報に含まれている録画時間を合計する（Ｓ６３）。そして、算出された録画時間合計が、予め設定された上限時間内に収まっているか否かを判断する（Ｓ６４）。上限時間内に収まっている場合には（Ｓ６４：ＹＥＳ）、その番組を選択番組としてＲＡＭ１２に記憶し（Ｓ６５）、該当番組のＥＰＧ情報をＥＰＧ情報ＤＢ１５から取り出す（Ｓ６６）。そして、図２のラベル作成処理に戻る。上限時間内に収まっていない場合には（Ｓ６４：ＮＯ）、Ｓ６２に戻って選択をやり直す。
【００５６】
また、選択されない場合には（Ｓ６２：ＮＯ）、キャンセル指示があったか否かを判断し（Ｓ６７）、キャンセルされた場合には（Ｓ６７：ＹＥＳ）、ラベル作成処理全体を終了する。キャンセル指示でない場合には（Ｓ６７：ＮＯ）、Ｓ６２に戻って選択されるのを待つ。
【００５７】
尚、上記の処理では、Ｓ６０，Ｓ６４において上限時間内に収まらなかった場合には、収まるように選択をやり直すように構成しているが、ここで、選択をやり直すのではなく、全ての選択番組について録画を行なうためには、ＤＶＤが何枚必要となるか、すなわち、ラベルセットが何組必要になるかを計算しておき、データ加工編集処理の中で、ラベルセットの数を増やすようにしてもよい。
【００５８】
次に、図６、図８〜図１３を参照して、ラベル作成処理の中で実行される、データ加工編集処理について説明する。図８は、テンプレートを用いない場合の配置処理画面のイメージ図である。図９及び図１０は、テンプレートを用いて複数番組、複数ラベルセットの配置処理を行なう場合の処理画面のイメージ図である。図１１〜図１３は、配置処理後のラベルの出来上がりを示すイメージ図である。
【００５９】
データ加工編集処理では、まず、ラベル作成対象として選択されている番組について、ＥＰＧ情報ＤＢ１５から取得したＥＰＧ情報を、内部処理のしやすい形式に変換する（Ｓ７１）。例えば、テキストデータで受信したＥＰＧ情報を表形式に変換しておくようにデータ整備を行なう。次に、テンプレートを用いてラベルを作成するか否かを判断する（Ｓ７２）。これは、使用者が、テンプレート選択コマンドを入力したか否か等により判断できる。
【００６０】
テンプレートを使わずにラベルを作成する場合には（Ｓ７２：ＮＯ）、まず、作成したいラベルのサイズの選択を促し、入力を受け付ける（Ｓ７６）。ここでは、複数のラベルをラベルセットとして指定できるので、その複数のラベルのそれぞれのサイズを指定する。例えば、３．５ｍｍ×１２０ｍｍのラベルを１枚、３６ｍｍ×１１０ｍｍのラベルを３枚で１組のラベルセットとする。
【００６１】
次に、選択番組のＥＰＧ情報の内容と、ラベルの印刷イメージを表示する（Ｓ７７）。例えば、図８に示すように、配置画面１００の左画面１１０に複数の項目１１６と内容１１７からなるＥＰＧ情報１１５を、右画面１２０に３．５ｍｍ×１２０ｍｍのラベル１２１と、３６ｍｍ×１１０ｍｍのラベル１２２，１２３，１２４の印刷イメージを表示する。
【００６２】
そして、使用者がドラッグアンドドロップ操作で所望の項目のＥＰＧ情報をラベルの印刷領域内に配置するのを受け付ける（Ｓ７８）。ここでは、ドラッグアンドドロップ操作を受けて、ドラッグ元の内容が、ドロップ先のラベル１２１〜１２４内に挿入され、表示されるようになっている。図８の例では、タイトル情報がラベル１２１と１２２へドロップ情報されて挿入され、サブタイトル情報がラベル１２２へドロップされて挿入され、日付情報がラベル１２３へドロップされて挿入され、出演者情報がラベル１２３ドロップされて挿入されてラベル１２１〜１２３が作成されている。フォントの大きさや修飾は、Ｓ７９以降で編集することができる。また、ラベル１２４のように、ここでは空白ラベルにしておき、後で自由に入力することもできる。
【００６３】
一方、テンプレートを用いる場合には（Ｓ７２：ＹＥＳ）、選択されている番組のＥＰＧ情報の内容とともに使用できるテンプレートの一覧を表示する（Ｓ７３）。例えば、図９及び図１０に示すように、配置画面２００の左画面２１０に、複数の選択番組のＥＰＧ情報２１１〜２１５・・・を並べて表示する。右画面２２０には、ラベルセットのテンプレート２３０，２４０，２５０，２６０を並べて表示する。尚、テンプレート２３０，２４０，２５０，２６０は、ＤＶＤケースに貼付するためのラベルセットであるから、使用者にイメージがつかみやすいように、貼付した状態の図を表示している。
【００６４】
テンプレート２３０は、ＤＶＤケースの背に貼付するための３．５ｍｍ幅のラベル２３１、ＤＶＤケースの表面に貼付するための３６ｍｍ幅のラベル２３２、ＤＶＤケースの裏面に貼付するための３６ｍｍ幅のラベル２３３の３枚のラベルから構成されたラベルセットであり、ラベル２３１にはタイトル情報を挿入、ラベル２３２にはタイトル情報とサブタイトル情報を並べて挿入、ラベル２３３には番組概要情報、番組詳細内容情報、出演者情報を並べて挿入するようになっている。
【００６５】
テンプレート２４０は、ＤＶＤケースの背に貼付するための３．５ｍｍ幅のラベル２４１、ＤＶＤケースの表面に貼付するための１８ｍｍ幅のラベル２４２、ＤＶＤケースの裏面に貼付するための１２ｍｍ幅のラベル２４３，２４４、１８ｍｍ幅のラベル２４５，２４６、９ｍｍ幅のラベル２４７，２４８、の８枚のラベルから構成されたラベルセットであり、ラベル２４１，２４２にはタイトル情報を挿入、ラベル２４３にはサブタイトル情報を挿入、ラベル２４４には番組概要情報、ラベル２４５には番組詳細内容情報、ラベル２４６には出演者情報、ラベル２４７には日付情報、ラベル２４８には録画時間情報を挿入するようになっている。
【００６６】
テンプレート２５０とテンプレート２６０は、複数の選択番組をまとめて１組のラベルセット内に配置するためのテンプレートである。テンプレート２５０は、ＤＶＤケースの背に貼付するための３．５ｍｍ幅のラベル２５１、ＤＶＤケースの表面に貼付するための１８ｍｍ幅のラベル２５２、ＤＶＤケースの裏面に貼付するための３６ｍｍ幅のラベル２５３，２５４の４枚のラベルから構成されるラベルセットである。ラベル２５１，２５２にはタイトル情報を挿入、ラベル２５３，２５４には，個々の選択番組のサブタイトル情報、日付情報、出演者情報を並べて挿入する。ラベル２５３，２５４は、選択された番組の数だけ用意されるラベルであり、３個以上の番組が選択されていればさらにラベル２５３，２５４と同形のラベルが増えることになる。
【００６７】
テンプレート２６０は、ＤＶＤケースの背に貼付するための３．５ｍｍ幅のラベル２６１、ＤＶＤケースの表面に貼付するための１８ｍｍ幅のラベル２６２、ＤＶＤケースの裏面に貼付するための３６ｍｍ幅のラベル２６３，２６４の４枚のラベルから構成されるラベルセットである。ラベル２６１，２６２にはタイトル情報を挿入、ラベル２６３には、全ての選択番組のサブタイトル情報と日付情報を並べて挿入、ラベル２６４には、出演者をまとめて挿入するようになっている。
【００６８】
次に、使用者がテンプレート選択入力をしてくるのを受け付け（Ｓ７４）、選択されたテンプレートを適用して情報内容をラベルの印刷領域内に配置する（Ｓ７５）。例えば、図９のＥＰＧ情報２１１と２１３を選択してテンプレート２３０を適用すると、テンプレート２３０は、選択された個々のＥＰＧ情報毎に１つのラベルセットを作成するためのテンプレートであるため、図１１に示すように、ＥＰＧ情報２１１に対応するラベルセット３１０とＥＰＧ情報２１２に対応するラベルセット３２０が作成され、表示される。このようにして作成されたラベルセットは、印刷後、２枚のＤＶＤケースに貼付して利用できる。
【００６９】
また、図９のＥＰＧ情報２１１と２１３を選択して、テンプレート２５０を適用すると、テンプレート２５０は、シリーズものでない複数の選択番組を１つのラベルセット内にまとめて配置するためのテンプレートであるから、図１２に示すように、ラベルセット３３０が作成され、表示される。ここでは、テンプレート２５０内のラベル２５３にＥＰＧ情報２１１のサブタイトル情報、日付情報、出演者情報が挿入されてラベル３３１が作成され、テンプレート２５０内のラベル２５４に、ＥＰＧ情報２１３のサブタイトル情報、日付情報、出演者情報が挿入されてラベル３３２が作成される。また、タイトル情報を挿入するためのテンプレート２５０内のラベル２５１は、ＥＰＧ情報２１１とＥＰＧ情報２１３には共通タイトルが存在しないので、ここでは空白ラベル３３３として作成される。そして、後述するＳ７９の編集処理で例えば「映画」等のタイトルを使用者が入力すればよい。
【００７０】
さらに、図９のＥＰＧ情報２１２，図１０のＥＰＧ情報２１４，２１５・・・等のシリーズものの複数の番組を選択し、テンプレート２６０を適用すると、テンプレート２６０は、シリーズものの複数の番組を一つのラベルセット内にまとめて配置するためのテンプレートであるから、図１３に示すようなラベルセット３４０，３５０が作成され、表示される。ここでは、選択された番組が７個あり、ＤＶＤ１枚には録画時間の合計が２枚に亘るため、ラベルセットも２組作成されている。このようにラベルセットを作成しておいてから、ＨＤＤからＤＶＤへの録画を行なうようにすれば、何度もラベルの印刷や録画のやり直しをする必要もなく、短時間で簡単に内容がわかりやすく整理しやすい好みの録画媒体を作成できる。
【００７１】
以上により、テンプレートを用いる場合にも用いない場合にも、ラベル内に番組情報が配置されてラベルイメージが画面上に表示されたので、配置されたラベルに対して使用者の編集を受け付ける（Ｓ７９）。このように、テンプレートは固定的なものではなく、適用された状態から自由に編集を行なうことができる。編集が終了するまで（Ｓ８０：ＮＯ）、入力を受け付け（Ｓ７９）、編集が終了したら（Ｓ８０：ＹＥＳ）、編集した結果の修飾情報、配置情報等を次回以降印刷の雛型として用いることができるように、テンプレート登録をするか否かを判断する（Ｓ８１）。テンプレート登録は、使用者の任意で選択できるように入力用のダイアログボックスを用意する等の方法で問い合わせることができる。
【００７２】
テンプレート登録する場合には（Ｓ８１：ＹＥＳ）、現在の状態をテンプレートとしてテンプレート記憶エリア１６に記憶させて登録する（Ｓ８２）。また、テンプレート登録を行なわない場合には（Ｓ８１：ＮＯ）、そのままＳ８３に進む。そして、さらに編集を行うか否かを使用者からの入力により判断し（Ｓ８３）、編集を継続する場合には（Ｓ８３：ＹＥＳ）。Ｓ７９に戻る。編集を終了する場合には（Ｓ８３：ＮＯ）、図２のラベル作成処理に戻る。
【００７３】
次に、図７を参照して、ラベル作成処理で実行される印刷処理について説明する。まず、作成したラベルのテープ幅、及び、プリンタ６２に装着されているテープのテープ幅についての情報を取得する（Ｓ９１）。
【００７４】
次に、装着されているテープのテープ幅を用いるラベルが作成済みラベルの中にあるか否かを判断する（Ｓ９２）。装着されているテープ幅のラベルがある場合には（Ｓ９２：ＹＥＳ）、プリンタ６２にそのラベルの印刷イメージを送信して印刷を指示する（Ｓ９３）。そして、印刷指示を行なったラベルが最終枚目であったか否かを判断する（Ｓ９４）。最終枚目でなければ（Ｓ９４：ＮＯ）、Ｓ９２に戻る。
【００７５】
装着されているテープ幅のラベルがない場合には（Ｓ９２：ＮＯ）、次のテープ幅の装着を指示する（Ｓ９５）。例えば、当初２４ｍｍテープが装着されていて、２４ｍｍテープを用いたラベルの印刷を終了した時には、例えば、３６ｍｍテープの装着を指示する。そして、Ｓ９２に戻る。
【００７６】
以上のようにして、装着されているテープ幅のラベルを最終枚目に至るまで（Ｓ９４：ＮＯ）かためて印刷を実行し（Ｓ９３）、全てのテープ幅に対応するラベルの印刷を終了したら（Ｓ９４：ＹＥＳ）、図２のラベル作成処理に戻る。
【００７７】
以上説明したように、本実施形態のラベル作成装置１によれば、ＥＰＧデータを受信して、録画予約の際にＥＰＧ情報ＤＢ１５に記憶し、実際の録画時に、その録画データとＥＰＧ情報ＤＢ１５内のＥＰＧ情報の関連付けを行なう。録画された所望の放送番組について、ラベルを作成する際には、ＥＰＧ情報ＤＢ１５内にあるＥＰＧ情報から、その録画番組と関連付けられているＥＰＧ情報を検索して、該当データを取得し、それに基づいてラベルを作成できる。また、複数のラベルを一組のラベルセットとして指定できるので、１個１個のラベルに対して配置する情報を個別に指定することなく、一度にラベルセット全体に対する配置を行なうことができる。このようなラベルセットへの配置は、使用者が自由に行なうこともできるし、用意されたテンプレートを用いて行なうこともできる。
【００７８】
尚、図３のＳ２８で予約番組を選択番組として記憶し、図５のＳ６５１で選択番組を記憶するＣＰＵ１０が本発明の番組指定手段として機能する。また、図２のＳ６及び図５のＳ６６でＥＰＧ情報を取得するＣＰＵ１０が本発明の番組情報取得手段として機能する。また、図４のＳ２０８でＥＰＧ情報と録画情報の関連付け処理を実行するＣＰＵ１０が本発明の関連付手段として機能する。また、図５のＳ４５，Ｓ４７，Ｓ５２において、録画情報と関連付けられたＥＰＧ情報を検索するＣＰＵ１０が本発明の検索手段として機能する。また、図６のＳ７６で複数枚のラベルのラベルサイズを選択してラベルセットの指定を受け付けるＣＰＵ１０が本発明のラベルセット指定手段として機能する。また、図２のＳ９及び図６でデータ加工編集処理を実行するＣＰＵ１０が本発明のラベル作成手段として機能する。また、図７のＳ９２及びＳ９３で装着されているテープ幅のラベルについて印刷指示を実行するＣＰＵ１０が本発明の印刷制御手段として機能する。また、図５のＳ５９及びＳ６３で録画時間の合計算出処理を実行するＣＰＵ１０が本発明の録画時間算出手段として機能する。また、図５のＳ６０及びＳ６４で上限時間内か否かを判断するＣＰＵ１０が本発明の判断手段として機能する。また、図６のＳ７４で使用者からの入力を受けてテンプレートを選択するＣＰＵ１０が本発明のテンプレート選択手段として機能する。また、図６のＳ８２でテンプレート登録処理を実行するＣＰＵ１０が本発明のテンプレート登録手段として機能する。図６のＳ７９で編集入力受付処理を実行するＣＰＵ１０が本発明の編集手段として機能する。
【００７９】
尚、上記実施形態においては、プリンタ６２をテーププリンタをもって構成し、各ラベルをテープにより作成するようにしたが、プリンタ６２は、テーププリンタに限られるものではなく、周知の各種プリンタを用いることができる。テンプレートも、テーププリンタを用いる場合のテンプレートと、通常の用紙を用いるプリンタ用のテンプレートを用意しておき、プリンタを切り替えてラベルを作成することも可能である。このようなテンプレートについて図１４を参照して説明する。図１４は、変形例のテンプレートのイメージ図である。図１４に示すように、複数枚のラベルをＤＶＤケースの各所に貼付するかわりに、ＤＶＤケース内に折り曲げて嵌め込むジャケットタイプのテンプレート４００を用意してもよい。ここで、テンプレート４００は、複数のラベルで構成されたラベルセットを１枚の紙上に配置したものと考えることができる。従って、テンプレート４００のようなジャケット形に限られるものではなく、様々な形状の用紙に配置して印刷することができる。
【図面の簡単な説明】
【００８０】
【図１】ラベル作成装置１の電気的構成を示すブロック図である。
【図２】ラベル作成処理の全体の流れを示すフローチャートである。
【図３】ラベル作成処理の中で実行される、録画予約処理のフローチャートである。
【図４】媒体記録処理及び録画処理のフローチャートである。
【図５】ラベル作成処理の中で実行される、録画済用ラベル作成処理のフローチャートである。
【図６】ラベル作成処理の中で実行される、データ加工編集処理のフローチャートである。
【図７】ラベル作成処理の中で実行される、印刷処理のフローチャートである。
【図８】テンプレートを用いない場合の配置処理画面のイメージ図である。
【図９】テンプレートを用いて複数番組、複数ラベルセットの配置処理を行なう場合の処理画面のイメージ図である。
【図１０】テンプレートを用いて複数番組、複数ラベルセットの配置処理を行なう場合の処理画面のイメージ図である。
【図１１】配置処理後のラベルの出来上がりを示すイメージ図である。
【図１２】配置処理後のラベルの出来上がりを示すイメージ図である。
【図１３】配置処理後のラベルの出来上がりを示すイメージ図である。
【図１４】変形例のテンプレートのイメージ図である。
【符号の説明】
【００８１】
１      ラベル作成装置
１０      ＣＰＵ
１３      ハードディスク
１４      プログラム記憶エリア
１５      ＥＰＧ情報データベース
１６      テンプレート記憶エリア
１７      関連付け情報記憶エリア
２０      アンテナ
２１      チューナー
３１      ビデオレコーダコントローラ
３２      ビデオレコーダ
５１      インターネットコントローラ
６１      プリンタコントローラ
６２      プリンタ
【図１】
2007026527.tif 000003
【図２】
2007026527.tif 000004
【図３】
2007026527.tif 000005
【図４】
2007026527.tif 000006
【図５】
2007026527.tif 000007
【図６】
2007026527.tif 000008
【図７】
2007026527.tif 000009
【図８】
2007026527.tif 000010
【図９】
2007026527.tif 000011
【図１０】
2007026527.tif 000012
【図１１】
2007026527.tif 000013
【図１２】
2007026527.tif 000014
【図１３】
2007026527.tif 000015
【図１４】
2007026527.tif 000016